(57)【要約】【課題】放送を受信している地域を素早く判別する。【解決手段】地上ディジタル放送の所定のチャンネルを受信し、受信できる場合はデマルチプレクサ１４においてＮＩＴ（Network Information Table）が抽出される。制御部２２はＮＩＴに記述されるネットワークＩＤから地域識別が識別される。そして、放送局記憶部１９に記憶されている放送局情報と、受信するチャンネル情報と地域識別から受信地域を判別する。所定のチャンネルを受信できないときは、他のチャンネルを受信するようにし、同様の処理を繰り返す。【選択図】図１
2006352690.tif 000002
【特許請求の範囲】
【請求項１】
放送を受信する受信手段と、
上記受信手段により受信される放送波から、放送される地域を示す地域情報を抽出する抽出手段と、
少なくとも放送局に割り当てられるチャンネルおよび地域情報を含む放送局情報を記憶する記憶手段と、
上記放送局情報と、上記受信手段により受信される放送波のチャンネル情報と、上記抽出手段により抽出される地域情報とを使用して受信地域を判別する判別手段と
を備える受信装置。
【請求項２】
請求項１において、
上記放送は、地上ディジタル放送である受信装置。
【請求項３】
請求項１において、
上記放送は、地上ディジタル放送の１セグメント放送である受信装置。
【請求項４】
請求項１において、
さらに上記判別手段は、判別した受信地域において受信可能な放送局を登録する受信装置。
【請求項５】
請求項１において、
上記判別手段は、所定のチャンネルの受信の可否を判別し、受信できた場合は上記地域情報を使用して受信地域を判別し、受信できない場合は、上記所定のチャンネルとは異なるチャンネルの受信の可否を判別する受信装置。
【請求項６】
請求項５において、
上記判別手段は、始めに、放送局が最も多く含まれるチャンネルの受信の可否を判別する受信装置。
【請求項７】
請求項５において、
上記地域情報は、放送を行う地域が広域である広域情報および放送を行う地域が上記広域に比して狭い地域である狭域情報のいずれかを含み、
上記判別手段は、狭域で放送を行う放送局が多く含まれるチャンネルの順に受信の可否を判別する受信装置。
【請求項８】
放送を受信する受信ステップと、
上記受信ステップにおいて受信される放送波から、放送される地域を示す地域情報を抽出する抽出ステップと、
少なくとも放送局に割り当てられるチャンネルおよび地域情報を含む放送局情報と、上記受信ステップにおいて受信される放送波のチャンネル情報と、上記抽出ステップにおいて抽出される地域情報とを使用して受信地域を判別する判別ステップと
からなる受信方法。
【発明の詳細な説明】
【技術分野】
【０００１】
この発明は、受信装置および受信方法に関する。
【背景技術】
【０００２】
近年、ＢＳ（Broadcasting Satellite）、ＣＳ(Communication Satellite)、地上ディジタル放送に代表されるように放送の多チャンネル化が進行している。例えば、地上ディジタル放送では、ＵＨＦ(Ultra High Frequency：極超短波（３００ＭＨｚ〜３ＧＨｚの周波数帯）)帯内に位置する４７０ＭＨｚ〜７７０ＭＨｚが使用され、この周波数帯域に１３チャンネルから６２チャンネルが割り当てられる。１チャンネルは、６ＭＨｚの帯域を有し、この帯域は１３のセグメントに分割され、放送サービスにあわせて１３のセグメントが組み合わせられて利用される。ハイビジョン放送のサービス時には１２セグメントが使用されて１チャンネルの放送が行われ、標準テレビ放送のサービス時には１チャンネルに４セグメントが割り当てられ、３チャンネルの放送が行われる。
【０００３】
このように放送の多チャンネル化が進む状況下では、どの放送局がどのチャンネルにあるか分からない場合に、例えば周波数の低い順からチャンネルを１つずつ切り換えて放送の有無を調べるスキャンは時間がかかってしまうため現実的でない。そこで地上ディジタル放送を受信できる受信装置では、リモートコントローラに備えられるチャンネル設定ボタンが押されることで自動的に受信可能なチャンネルが検出されてチャンネル設定が行われるプリセット機能が備えられる。例えば、引越しなどで受信地域が変わったときなどに、県名や郵便番号等の受信地域情報を入力しプリセット機能を実行することでチャンネル設定が行われる。これにより、ユーザはチャンネル設定に伴う操作の煩雑さを解消することができる。
【０００４】
下記特許文献１には、物理チャンネルと、その物理チャンネルで受信できる放送局の固有情報を記憶するプリセット記憶部とを備え、プリセット記憶部に記憶された情報に基づいて受信制御を行うディジタル放送受信機等に関する発明が記載されている。
【０００５】
【特許文献１】特開２００５−４５５９２号公報
【発明の開示】
【発明が解決しようとする課題】
【０００６】
ところで、携帯電話やＰＤＡ(Personal Digital Assistant)などの移動用携帯端末向けに１セグメント放送と称される放送サービスが標準化されている。１セグメント放送とは、上述した１３セグメントの中央の１セグメントを使用して、その番組内容のみを受信する部分受信方式である。携帯電話に代表される移動用携帯端末の普及状況を考慮すると、今後、移動用携帯端末を使用して放送を受信し視聴することが広く行われると考えられる。
【０００７】
移動用携帯端末を使用して地上ディジタル放送の受信する際にも受信地域情報を入力しプリセット機能を実行することでチャンネル設定が行われる。交通機関の発達により異なる複数の県を跨ぐ移動や異なる地方（関東地方や中京地方、近畿地方等をいう）を跨ぐ移動が珍しいことではないところ、地上ディジタル放送の多くは同一県内でのみ受信可能とされる県域放送であるため、例えば県境を超えるたびに異なる受信地域情報を入力しその都度チャンネル設定を行わなければならない。このようにチャンネル設定の操作を頻繁に行わなければならない問題点があった。
【０００８】
また、移動中にユーザが自分のいる県や地方を認識できるとは限らないため、受信地域情報を入力することができずチャンネル設定を行うことができなくなってしまうおそれがあった。
【０００９】
したがって、この発明の目的は、例えば移動体携帯端末を利用した放送受信において、受信している地域を判別し、その地域で受信可能な放送チャンネルを登録することができる受信装置および受信方法を提供することにある。
【課題を解決するための手段】
【００１０】
上述した課題を解決するために、この発明の第１の態様は、放送を受信する受信手段と、受信手段により受信される放送波から、放送される地域を示す地域情報を抽出する抽出手段と、少なくとも放送局に割り当てられるチャンネルおよび地域情報を含む放送局情報を記憶する記憶手段と、放送局情報と、受信手段により受信される放送波のチャンネル情報と、抽出手段により抽出される地域情報とを使用して受信地域を判別する判別手段とを備える受信装置である。
【００１１】
この発明の第２の態様は、放送を受信する受信ステップと、受信ステップにおいて受信される放送波から、放送される地域を示す地域情報を抽出する抽出ステップと、少なくとも放送局に割り当てられるチャンネルおよび地域情報を含む放送局情報と、受信ステップにおいて受信される放送波のチャンネル情報と、抽出ステップにおいて抽出される地域情報とを使用して受信地域を判別する判別ステップとからなる受信方法である。
【発明の効果】
【００１２】
この発明によれば、受信地域情報を入力しなくても受信地域を自動的に判別することができる。また、判別される受信地域で受信可能な放送局を登録することができる。したがって、放送局の登録を行う操作を簡単に行うことができる。さらにこの発明によれば、受信地域を判別する処理を効率的に行うことができ、処理に要する時間を短くすることができる。
【発明を実施するための最良の形態】
【００１３】
以下、図面を参照しながらこの発明の一実施形態について説明する。一実施形態では、この発明を地上ディジタル放送を受信可能なディジタル放送受信装置１に適用した例を説明する。ディジタル放送受信装置１は、具体的にはＰＤＡ、携帯電話、車載機器等の移動体受信装置である。
【００１４】
図１は、この発明の一実施形態におけるディジタル放送受信装置１の構成の概要を示す。アンテナ１１で受信された放送波はチューナ１２に供給される。チューナ１２は受信された放送波から目的の搬送波を選択して復調処理をし、トランスポートストリーム（以下、適宜、ＴＳと称する）を復元する。また、ＴＳパケット単位でエラー訂正処理を行う。
【００１５】
デスクランブラ１３は、ＴＳにスクランブル（多重化）がかけられている場合、ＴＳの中に存在する特定のＰＩＤ（パケットＩＤ）を有するパケットについて、必要に応じてスクランブルを解除するデスクランブル処理を行う。
【００１６】
デマルチプレクサ１４は、デスクランブルされたＴＳに対してデマルチプレクス（分離）処理を行い、映像、音声、データなどのコンテンツを分離し、またＳＩ(Service Information)やＰＳＩ(Program Specific Information)などの番組情報を分離する。デマルチプレクサ１４における処理で、ＴＳはＴＳ化される前のＰＥＳ(Packetized Elementary Stream)やＥＳ(Elementary Stream)とされる。
【００１７】
デコーダ１５は、映像ＰＥＳや音声ＰＥＳに対して復号処理を行い、映像や音声をディジタル信号にする。映像信号処理部１６では、デコードされたディジタル映像信号に対してＤ／Ａ(Digital to Analog)処理を行いアナロク信号に変換してモニタ（図示しない）に表示する。音声信号処理部１７では、デコードされたディジタル音声信号にＤ／Ａ処理を行いアナロク信号に変換してスピーカ（図示しない）から出力する。なお、図示していないが、デコーダ１５でデコードされたデータをディジタル映像信号に重畳するＯＳＤ(On Screen Display)制御部を備える構成としても良い。
【００１８】
制御部２２は例えばマイクロコンピュータにより実現され、バス１８を介して上述した各部を制御する。制御部２２は、制御用プログラムが格納されたＲＯＭ(Reed Only Memory)２３と、例えばプログラムを実行する際のワークエリアとして使用されるＲＡＭ(Random Access Memory)２４を備える。制御部２２に対しては、操作入力部２１から操作に応じた情報が供給される。例えば、受信可能な放送局を判別する処理を実行させる操作が行われる。操作入力部２１はボタンや回転式のダイヤルなどで構成しても良いし、モニタをタッチして操作するタッチパネルとして構成しても良い。
【００１９】
放送局情報記憶部１９には放送局に関する情報が記憶される。放送局情報記憶部１９は、例えばハードディスクなどの不揮発性メモリによって構成される。放送局情報記憶部１９に記憶される情報の内容は、例えばソフトウェアをインストールしてバージョンアップすることで更新できるようにされる。また、ディジタル放送受信装置１に通信ＩＦ(Interface)（図示しない）を設けてインターネットと接続できるようにし、インターネットを介して情報をダウンロードして情報の内容を更新できるようにしても良い。
【００２０】
図２は、放送局情報記憶部１９に記憶される情報（以下、適宜、放送局情報と称する）の一例を示す。放送局情報記憶部１９には、放送局に割り当てられるチャンネルと、放送局が放送する場所を示す地域情報である地域識別が記憶される。図２の表の最上段の１３から６２の数字はチャンネルの番号を示す。また、左欄は地域識別を示す。地域識別は、広域情報および狭域情報のいずれかを含む情報とされる。この一実施形態では、広域情報は関東地方、中京地方、近畿地方等の複数の県を含む地方とされ、狭域情報は、広域より狭い領域である東京都、愛知県、京都府等の県を示す情報とされる。
【００２１】
表中のＡ局、Ｂ局、Ｃ局・・は放送局を示す。放送局の右または下に示される数字は、その放送局の地域識別を示す。例えば、放送局Ａ局には２０チャンネルが割り当てられ、Ａ局は「東京」で放送を行うことから地域識別は２３とされる。
【００２２】
また、例えばＢ局には２１チャンネルが割り当てられ、Ｂ局は「関東」で広域放送を行うことから地域識別は１とされる。同様にして、他の放送局にもチャンネルが割り当てられ、放送される場所を示す地域識別が付与される。当然ながら、異なる放送局が同一チャンネルで且つ同一の地域識別を割り当てられることはない。
【００２３】
次に、ディジタル放送受信装置１によって受信地域が判別される判別処理について説明する。始めに判別処理の概略を説明する。
【００２４】
操作入力部２１の、例えば電源オン／オフボタンや放送局登録ボタンなどの操作がなされると、操作に応じた信号が制御部２２に送出され判別処理が開始される。制御部２２は、所定のチャンネルを受信するようにチューナ１２を制御する。受信できない場合は、制御部２２は他のチャンネルを受信するようにチューナ１２を制御する。どのチャンネルを優先的に受信するかについては後述する。
【００２５】
所定のチャンネルが受信できたときは、そのチャンネルの放送波のＴＳがデスクランブラ１３において必要に応じてスクランブルが解除され、デマルチプレクサ１４に供給される。デマルチプレクサ１４において分離処理が行われ、映像、音声等のコンテンツや番組配列情報を示すＳＩや伝送制御情報に相当するＰＳＩが抽出される。ＳＩやＰＳＩは制御部２２に送られる。
【００２６】
ＰＳＩにはＰＡＴ(Program Association Table)、ＰＭＴ(Program Map Table)、ＮＩＴ(Network Information Table)、ＣＡＴ(Conditional Access Table)の４種類のテーブルが規定される。
【００２７】
制御部２２はＮＩＴに記述されるネットワークＩＤ（network id）を取得する。ネットワークＩＤは１６ビットの情報であり、地上ディジタル放送では１送出マスタごとに１ネットワークＩＤが割り当てられる。ネットワークＩＤは以下の式（１）で算出される。
ネットワークＩＤ＝０ｘ７ＦＦ０−０ｘ００１０×地域識別＋地域事業者識別−０ｘ０４００×県複フラグ・・式（１）
【００２８】
式（１）において、地域識別は６ビットの情報であり、この地域識別により全国の各地域が識別される。地域事業者識別は４ビットの情報であり、地域識別により定義される地域の中で各テレビ放送事業者に対して割り当てられる。県複フラグは１ビットの情報であり、同一地域で２ＴＳを送出する場合に区別するために用いられる。
【００２９】
図３は、ネットワークＩＤの計算例の一例である。図３に示した例では、地域識別として東京を示す「２３（但し、計算では１６進数で表した「１７」を使用）」、地域事業者識別としてＡテレビの「７（但し、計算では１６進数で表した「７」を使用）」、県複フラグとして「０」を用いている。
【００３０】
式（１）を用いて計算すると、１６ビットのネットワークＩＤ「０１１１  １１１０  １０００  ０１１１（１６進数表示では、「０ｘ７Ｅ８７」）」が求まる。求められたネットワークＩＤのうち下位４ビット「０１１１」は地域事業者識別を示す。また、５ビット目から１０ビット目までの「１０１０００」の６ビットは、地域識別を反転したビットを示す。従って、５ビット目から１０ビット目の各ビットを反転させると「０１０１１１」となり地域識別を示す６ビットと一致する。また、ネットワークＩＤの１０ビット目は県複フラグを反転したビット「１」となる。
【００３１】
したがって、制御部２２はＮＩＴに記述されるネットワークＩＤを取得し、そのネットワークＩＤから地域識別を得ることができる。
【００３２】
制御部２２は、放送局情報記憶部１９に記憶される情報を参照し、受信した放送のチャンネルとネットワークＩＤから得た地域識別とを使用して受信地域の判別を行う。受信地域の判別ができた後に、放送局情報記憶部１９に記憶されている情報を参照してその地域で受信可能な放送局を特定し、その放送局を登録する処理が行われる。
【００３３】
なお、上述した制御部２２による制御および処理はハードウェア的に実現されても良いし、ソフトウェア的に実現されても良い。
【００３４】
図４および図５は、この一実施形態における判別処理の流れを示すフローチャートである。ステップＳ１において制御部２２は２２チャンネルを受信するように選局処理を制御し、２２チャンネルを受信できるか否かを判別する。
【００３５】
始めに２２チャンネルを受信できるか否かを判別するのは以下の理由による。図２に示す放送局情報を参照すると、２２チャンネルは関東地方ではＣ局の広域放送で使用され、中京地方ではＱ局の広域放送で使用され、さらに近畿地方の兵庫県ではＨ局の県域放送（県でのみ放送することを示す）で使用されており、他のチャンネルに比べて放送局が最も多く含まれる（図２の表の下欄「地域数計」参照）。放送局が最も多く含まれるチャンネルを受信できるか否かを始めに判別することで１度の判別処理で多くの地方または県の判別を行うことができ、処理に要する時間を短くすることができる。
【００３６】
ステップＳ１において、２２チャンネルを受信できる場合は処理はステップＳ２に進む。ステップＳ２において、制御部２２はデマルチプレクサ１４で分離されたＮＩＴに記述されるネットワークＩＤを取得し、ネットワークＩＤから地域識別を算出する。２２チャンネルが割り当てられる放送局Ｃ局、Ｑ局、Ｈ局のそれぞれの地域識別は、「関東」を示す１、「中京」を示す３、「兵庫」を示す４２であることから、続いてこの地域識別を判別する。
【００３７】
ステップＳ２において地域識別が１であれば処理がステップＳ３に進み、受信地域が「関東」と判別される。ステップＳ２において地域識別が１でないときは処理がステップＳ４に進む。ステップＳ４では地域識別が３であるか否かが判別される。地域識別が３であるときは処理がステップＳ５に進み、受信地域が「中京」と判別される。地域識別が３でないときは処理がステップＳ６に進む。
【００３８】
ステップＳ６では地域識別が４２であるか否かが判別される。地域識別が４２であれば処理がステップＳ７に進み、受信地域が「兵庫」と判別される。地域識別が４２でないときは処理がステップＳ８に進む。ステップＳ８ではエラー処理が行われる。エラー処理は、例えば判別できない旨をモニタ等に表示したり、あるいはこの判別の元の分岐のステップＳ１で２２チャンネルが受信できなかったものとして、ステップＳ９へ戻して処理を続けても良い。
【００３９】
ステップＳ１において２２チャンネルを受信できない場合は、処理がステップＳ９に進む。ステップＳ９では、２２チャンネルが使用されない「兵庫」を除く「近畿」で放送する放送局に割り当てられ、且つ他の地域においてより多くの放送局に割り当てられるチャンネルを受信できるか否かを判別する処理が行われる。放送局情報によると、このチャンネルは１３チャンネルとなる。１３チャンネルは「近畿」で広域放送を行うＧ局に割り当てられ、また「中京」（３県）で放送を行う放送局に割り当てられ、さらに「茨城」で県域放送を行うＧ局に割り当てられる。
【００４０】
ステップＳ９において、１３チャンネルを受信できる場合は処理がステップＳ１０に進む。ステップＳ１０以降は、１３チャンネルで使用される放送局のそれぞれの地域識別２、３、２６の判別が行われる。ステップＳ１０では、地域識別が２であるか否かが判別される。地域識別が２であれば処理がステップＳ１１に進み、受信地域が「近畿」と判別される。ステップＳ１０で地域識別が２でないときは、処理がステップＳ１２に進む。
【００４１】
ステップＳ１２では地域識別が３であるか否かが判別される。地域識別が３であるか否かの判別はステップＳ４でも行われているが、例えば受信地域が中京地方でありＱ局が放送を休止している場合は、ステップＳ１で２２チャンネルを受信できない場合が有り得る。そのため、ステップＳ１２においても地域識別が３であるか否かの判別を行うことで、受信地域を判別する処理の正確性を高めることができる。
【００４２】
ステップＳ１２において地域識別が３であるときは、処理がステップＳ１３に進む。ステップＳ１３では、受信地域が「中京」と判別される。地域識別が３でないときは処理がステップＳ１４に進む。
【００４３】
ステップＳ１４では、地域識別が２６であるか否かが判別される。地域識別が２６であるときは処理がステップＳ１５に進み、受信地域が「茨城」と判別される。地域識別が２６でないときは処理がステップＳ１６に進み、エラー処理が行われる。
【００４４】
放送が行われるエリアにいることでステップＳ１およびステップＳ９において２２チャンネルまたは１３チャンネルのいずれかは受信される。しかしながら、放送局が放送を休止している場合や受信状況が悪い場合などは、２２チャンネルと１３チャンネルのいずれも受信できない場合も有り得る。その場合は、処理がステップＳ１７の「１」に進む。
【００４５】
ステップＳ１７以降の処理は、ステップＳ１およびステップＳ９の処理に準じた処理が行われる。すなわち、ステップＳ１７では、ステップＳ９において判別対象であった１３チャンネルが使用されない地域で放送する放送局に割り当てられ、且つ全体で割り当てられる放送局の多いチャンネルを受信できるか否かが判別される。図２に示す例では、２１チャンネルまたは２３チャンネルが判別対象として選択される。複数のチャンネルが選択される場合は、例えばチャンネルの数値が小さいほうを選択するようにしても良い。このように所定のチャンネルの受信の可否が判別されて、そのチャンネルで使用される地域識別の判別が行われることで受信地域の判別が行われる。
【００４６】
図４に示した処理の流れでは、例えばステップＳ３、ステップＳ５等では「関東」、「中京」のように広域を示す受信地域までしか判別できない。そこで、判別された受信地域が広域である場合は、さらに絞り込む処理が行われる。
【００４７】
図５は、図４のフローチャートにおけるステップＳ３において受信地域が「関東」と判別された後の処理の流れを示すフローチャートである。図５に示す処理によって受信地域を狭域である県単位まで判別でき、県域放送を行っている放送局を含めて登録することができる。
【００４８】
ステップＳ２１では、「関東」において県域放送を行う放送局を多く含むチャンネルである２０チャンネルを受信できるか否かを判別する。２０チャンネルを受信できる場合は、処理がステップＳ２２に進む。
【００４９】
放送局情報によれば、２０チャンネルが割り当てられるＡ局は「東京」で県域放送を行い、Ｈ局は「茨城」で県域放送を行う。そこで、ステップＳ２２では、地域識別が「東京」を示す２３であるか否かの判別を行う。地域識別が２３であれば処理がステップＳ２３に進み、受信地域が「東京」と判別される。地域識別が２３でなければ処理がステップＳ２４に進む。
【００５０】
ステップＳ２４では、地域識別が２６であるか否かが判別される。地域識別が２６であれば処理がステップＳ２５に進み、受信地域が「茨城」と判別される。地域識別が２６でない場合は、処理がステップＳ２６に進みエラー処理が行われる。このように、県域放送を行う放送局を多く含むチャンネルの受信の可否を優先的に判別することで、１度に複数の県の受信地域の可能性を判別でき、効率的に判別処理を行うことができる。
【００５１】
ステップＳ２１において２０チャンネルを受信できない場合は、処理がステップＳ２７に進む。２０チャンネル以外のチャンネルで、関東地方のいずれかで県域放送を行う放送局を含むチャンネルは１３チャンネル、１８チャンネル、１９チャンネル、２９チャンネル、３０チャンネル、３２チャンネルである。いずれも県域放送を行う放送局を１つであるので、以降の処理は例えば県別に県域放送を行う放送局のチャンネルを判別する。
【００５２】
受信地域が「東京」である可能性はすでに判別されたことから、例えば次に受信地域が「神奈川」である可能性を判別する。放送局情報を参照すると、神奈川県で県域放送を行う放送局はＩ局である。Ｉ局には１８チャンネルが割り当てられている。そこでステップＳ２７では、１８チャンネルを受信できるか否かの判別が行われる。１８チャンネルを受信できる場合は、処理がステップＳ２８に進む。ステップＳ２８では地域識別が２４であるか否かが判別される。地域識別が２４であれば処理がステップＳ２９に進み、受信地域が「神奈川」と判別される。地域識別が２４でない場合は処理がステップＳ３０に進み、エラー処理が行われる。
【００５３】
ステップＳ２７において１８チャンネルを受信できない場合は、処理がステップＳ３１に進む。ステップＳ３１では、群馬で県域放送を行うＪ局に割り当てられる１９チャンネルを受信できるか否かの判別が行われる。１９チャンネルを受信できる場合は処理がステップＳ３２に進み、地域識別が２５であるか否かの判別が行われる。地域識別が２５であるときは処理がステップＳ３３に進み、受信地域が「群馬」と判別される。地域識別が２５でないときは処理がステップＳ３４に進み、エラー処理が行われる。
【００５４】
ステップＳ３１において１９チャンネルを受信できない場合は、処理がステップＳ３５に進む。「茨城」についてはステップＳ２１とそれに続くステップＳ２４において判別されているため、ステップＳ３５では「千葉」で県域放送を行うＬ局に割り当てられる３０チャンネルを受信できるか否かの判別が行われる。３０チャンネルを受信できる場合は処理がステップＳ３６に進む。
【００５５】
ステップＳ３６では、地域識別が２７であるか否かが判別される。地域識別が２７であれば処理がステップＳ３７に進み、受信地域が「千葉」と判別される。地域識別が２７でない場合は処理がステップＳ３８に進み、エラー処理が行われる。
【００５６】
ステップＳ３５において３０チャンネルを受信できない場合は、処理がステップＳ３９に進む。ステップＳ３９では、「栃木」で県域放送を行うＫ局に割り当てられる２９チャンネルを受信できるか否かが判別される。２９チャンネルを受信できるときは処理がステップＳ４０に進む。ステップＳ４０では、地域識別が２８であるか否かが判別される。地域識別が２８であれば処理がステップＳ４１に進み、受信地域が「栃木」と判別される。地域識別が２８でなければ処理がステップＳ４２に進み、エラー処理が行われる。
【００５７】
ステップＳ３９において２９チャンネルを受信できない場合は、処理がステップＳ４３に進む。ステップＳ４３では、「埼玉」で県域放送を行うＭ局に割り当てられる３２チャンネルを受信できるか否かが判別される。３２チャンネルを受信できる場合は処理がステップＳ４４に進み、地域識別が２９であるか否かが判別される。地域識別が２９であれば処理がステップＳ４５に進み、受信地域が「埼玉」と判別される。地域識別が２９でないときは処理がステップＳ４７に進み、エラー処理が行われる。
【００５８】
ステップＳ４３において３２チャンネルを受信できない場合は処理がステップＳ４６に進む。ステップＳ４６では、受信地域が「関東」と判別できたが、どの県ということまでは判別できていないため関東地方で広域放送を行う放送局を登録する処理が行われる。放送局情報を参照すると関東地方で広域放送を行うのは、Ｂ局、Ｃ局、Ｄ局、Ｅ局、Ｆ局、Ｇ局、Ｈ局であることからこれらの放送局を受信できる放送局として登録する。
【００５９】
なお、図４に示すフローチャートで受信地域が「中京」や「近畿」と判別された後に、県を判別する処理も同様にして行われる。
【００６０】
図６から図９は、他の例の判別処理の流れを示すフローチャートである。図４および図５を用いて説明した判別処理では、受信地域が例えば「関東」のように広域で判別されると、さらに県域まで判別する階層的な判別処理が必要であった。この他の例による判別処理は判別結果ができるだけ県域となるようにされ、より効率的に判別処理を行うものである。
【００６１】
図６におけるステップＳ５１では、県域放送を行う放送局が多く含まれるチャンネルを受信できるか否かが判別される。ここで放送局情報を参照すると、県域放送を行う放送局が最も多く含まれるチャンネルは２０チャンネルである。２０チャンネルには、異なる県で県域放送を行う放送局が５局（Ａ局、Ｈ局、Ｈ局、Ｚ局、ＡＡ局）含まれる。
【００６２】
ステップＳ５１において２０チャンネルを受信できる場合は処理がステップＳ５２に進む。放送局情報によると２０チャンネルを受信できるということは、受信地域が、Ａ局が県域放送を行っている「東京」、Ｈ局が県域放送を行っている「茨城」または「愛知」、Ｚ局が県域放送を行っている「和歌山」、ＡＡ局が県域放送を行っている「滋賀」のいずれかであることを示す。従って、地域識別を使用してこれらのいずれの県であるかを判別する。
【００６３】
ステップＳ５２では、受信できる放送波のＮＩＴに記述されるネットワークＩＤから取得できる地域識別を見て、地域識別が２３であるか否かの判別が行われる。地域識別が２３であるときは処理がステップＳ５３に進む。ステップＳ５３では、地域識別が２３であることから受信地域が「東京」と判別される。ステップＳ５２において地域識別が２３でないときは処理がステップＳ５４に進む。
【００６４】
ステップＳ５４では、地域識別が２６であるか否かが判別される。地域識別が２６であるときは処理がステップＳ５５に進み、受信地域が「茨城」と判別される。地域識別が２６でないときは、処理がステップＳ５６に進む。
【００６５】
ステップＳ５６では、地域識別が３３であるか否かが判別される。地域識別が３３であるときは処理がステップＳ５７に進み、受信地域が「愛知」と判別される。ステップＳ５６において、地域識別が３３でないときは処理がステップＳ５８に進む。ステップＳ５８では地域識別が４３であるか否かが判別される。地域識別が４３であるときは処理がステップＳ５９に進み、受信地域が「和歌山」と判別される。地域識別が４３でないときは、処理がステップＳ６０に進む。
【００６６】
ステップＳ６０では、地域識別が４５であるか否かが判別される。地域識別が４５であるときは処理がステップＳ６１に進み、受信地域が「滋賀」と判別される。地域識別が４５でないときは処理がステップＳ６２に進み、エラー処理が行われる。
【００６７】
ステップＳ５１において２０チャンネルを受信できないときは、処理がステップＳ６３に進む。ステップＳ６３では、２０チャンネルの次に県域放送を行う放送局が多く含まれるチャンネルを受信できるか否かが判別される、放送局情報を参照すると、２９チャンネルが県域放送を行う放送局を３局（Ｋ局、Ｈ局、ＤＤ局）を含む。なお、２３チャンネルも県域放送を行う放送局を３局（Ｒ局、ＢＢ局、Ｈ局）含むが、Ｒ局が県域放送を行う「愛知」と、Ｈ局が県域放送を行う「和歌山」の地域識別に関しては、ステップＳ５６およびステップＳ５８において判別処理がされていることから、２９チャンネルが優先的に判別される。
【００６８】
ステップＳ６３において、２９チャンネルを受信できるときは処理がステップＳ６４に進む。ステップＳ６４では地域識別が２８であるか否かが判別される。地域識別が２８であるときは処理がステップＳ６５に進み、受信地域が「栃木」と判別される。地域識別が２８でないときは、処理がステップＳ６６に進む。
【００６９】
ステップＳ６６では地域識別が３９であるか否かが判別される。地域識別が３９であるときは処理がステップＳ６７に進み、受信地域が「岐阜」と判別される。地域識別が３９でないときは処理がステップＳ６８に進む。ステップＳ６８では、地域識別が４４であるか否かが判別される。地域識別が４４であるときは処理がステップＳ６９に進み、受信地域が「奈良」と判別される。地域識別が４４でないときは処理がステップＳ７０に進み、エラー処理が行われる。
【００７０】
ステップＳ６３において、２９チャンネルを受信できない場合は処理がステップＳ７１に進む。ステップＳ７１以降の処理を図７に示すフローチャートを用いて説明する。なお、ステップＳ７１の「Ａ」は図６と図７の対応関係を示すためのものであり、特定の処理を示すものではない。
【００７１】
図７に示すフローチャートにおけるステップＳ７２では、２９チャンネルの次に県域放送を行う放送局を多く含む２３チャンネルを受信できるか否かが判別される。２３チャンネルを受信できる場合は、処理がステップＳ７３に進む。２３チャンネルは「関東」で広域放送を行うＤ局、「愛知」で県域放送を行うＲ局、「京都」で県域放送を行うＢＢ局、「和歌山」で県域放送を行うＨ局に割り当てられる。したがって、地域識別を使用してこれらの地域または県のいずれであるかを判別する。
【００７２】
ステップＳ７３では地域識別が１であるか否かが判別される。地域識別が１であるときは処理がステップＳ７４に進み、受信地域が「関東」と判別される。ここで広域情報の「関東」を判別するのは県域放送が行われず広域放送のみが行われる県もあるからである。地域識別が１でないときは処理がステップＳ７５に進む。
【００７３】
ステップＳ７５では、地域識別が３３であるか否かの判別が行われる。地域識別が３３であるときは処理がステップＳ７６に進み、受信地域が「愛知」と判別される。地域識別が３３でないときは処理がステップＳ７７に進む。
【００７４】
ステップＳ７７では、地域識別が４１であるか否かの判別が行われる。地域識別が４１であるときは処理がステップＳ７８に進み、受信地域が「京都」と判別される。ステップＳ７７において地域識別が４１でないときは処理がステップＳ７９に進む。
【００７５】
ステップＳ７９では、地域識別が４３であるか否かの判別が行われる。地域識別が４３であるときは処理がステップＳ８０に進み、受信地域が「和歌山」と判別される。ステップＳ７９において地域識別が４３でないときは処理がステップＳ８１に進み、エラー処理が行われる。
【００７６】
ステップＳ７２において２３チャンネルを受信できない場合は、処理がステップＳ８２に進む。ステップＳ８２では、２３チャンネルの次に県域放送を行う放送局が多く含まれるチャンネルを受信できるか否かの判別が行われる。
【００７７】
ここで放送局情報を参照すると、１８チャンネル、２６チャンネルおよび３０チャンネルが県域放送を行う放送局を２局含む。ここで１８チャンネルが割り当てられるＩ局、Ｙ局はそれぞれ「神奈川」、「大阪」で県域放送を行うが、ステップＳ７２より前の判別処理において地域識別が「神奈川」を示す２４であるかの判別と「大阪」を示す４０であるかの判別は行われていない。対して、２６チャンネルが割り当てられるＨ局は「滋賀」で県域放送を行っているが、「滋賀」を示す地域識別４５の判別はステップＳ６０で行われている。また、３０チャンネルが割り当てられるＴ局は「岐阜」で県域放送を行っているが、「岐阜」を示す地域識別３９は、ステップＳ６６で判別が行われている。したがって、ステップＳ８２では地域識別の判別が行われていない地域で県域放送を行う放送局をより多く含む１８チャンネルを受信できるか否かの判別が行われる。
【００７８】
ステップＳ８２において１８チャンネルが受信できる場合は、処理がステップＳ８３に進む。１８チャンネルは、「神奈川」で県域放送を行うＩ局、「中京」で広域放送を行うＮ局、「大阪」で県域放送を行うＹ局に割り当てられる。したがって、地域識別を使用して、これらのいずれの地域であるかを判別する。
【００７９】
ステップＳ８３では地域識別が３であるか否かが判別される。地域識別が３であれば処理がステップＳ８４に進み、受信地域が「中京」と判別される。ステップＳ８３において地域識別が３でないときは、処理がステップＳ８５に進む。ステップＳ８５では地域識別が２４であるか否かが判別される。地域識別が２４であるときは処理がステップＳ８６に進み、受信地域が「神奈川」と判別される。地域識別が２４でないときは処理がステップＳ８７に進む。
【００８０】
ステップＳ８７では、地域識別が４０であるか否かが判別される。地域識別が４０であるときは処理がステップＳ８８に進み、受信地域が「大阪」と判別される。ステップＳ８７において地域識別が４０でないときは処理がステップＳ８９に進み、エラー処理が行われる。
【００８１】
ステップＳ８２において、１８チャンネルを受信できない場合は処理がステップＳ９０に進む。ステップＳ９０以降の処理を図８に示すフローチャートを用いて説明する。なお、ステップＳ９０の「Ｂ」は図７と図８の対応関係を示すためのものであり、特定の処理を示すものではない。
【００８２】
ステップＳ９１では２６チャンネルを受信できるか否かが判別される。ここで２６チャンネルを３０チャンネルに優先して判別するのは、２６チャンネルはＣＣ局とＨ局以外にも「関東」で広域放送を行うＧ局にも割り当てられているためである。
【００８３】
ステップＳ９１において２６チャンネルを受信できるときは、処理がステップＳ９２に進む。放送局情報を参照すると、２６チャンネルは「関東」で広域放送を行うＧ局、「兵庫」で県域放送を行うＣＣ局、「滋賀」で県域放送を行うＨ局に割り当てられている。したがって、地域識別を使用していずれの地方または県であるかを判別する。
【００８４】
ステップＳ９２では地域識別が１であるか否かが判別される。地域識別が１であれば処理がステップＳ９３に進み、受信地域が「関東」と判別される。地域識別が１でないときは処理がステップＳ９４に進む。
【００８５】
ステップＳ９４では、地域識別が４２であるか否かが判別される。地域識別が４２であれば処理がステップＳ９５に進み、受信地域が「兵庫」と判別される。地域識別が４２でなければ処理がステップＳ９６に進む。
【００８６】
ステップＳ９６では、地域識別が４５であるか否かが判別される。地域識別が４５であれば処理がステップＳ９７に進み、受信地域が「滋賀」と判別される。地域識別が４５でなければ処理がステップＳ９８に進み、エラー処理が行われる。
【００８７】
ステップＳ９１において２６チャンネルを受信できない場合は、処理がステップＳ９９に進む。ステップＳ９９では、３０チャンネルを受信できるか否かの判別が行われる。ステップＳ９９において３０チャンネルを受信できる場合は処理がステップＳ１００に進む。
【００８８】
放送局情報を参照すると、３０チャンネルは「千葉」で県域放送を行うＬ局と「岐阜」で県域放送を行うＴ局とに割り当てられている。したがって、地域識別を使用していずれの県であるかを判別する。
【００８９】
ステップＳ１００で地域識別が２７であるときは、処理がステップＳ１０１に進み受信地域が「千葉」と判別される。地域識別が２７でないときは処理がステップＳ１０２に進む。
【００９０】
ステップＳ１０２では、地域識別が３９であるか否かが判別される。地域識別が３９であるときは処理がステップＳ１０３に進み、受信地域が「岐阜」と判別される。地域識別がＳ１０２でないときは処理がステップＳ１０４に進み、エラー処理が行われる。
【００９１】
ステップＳ９９において３０チャンネルを受信できないときは、処理がステップＳ１０５に進む。県域放送を行う放送局を含むチャンネルで、まだ判別が行われていないチャンネルは全て放送局を１局含む。また、ここまでの判別処理で地域識別が行われていない県は「群馬」、「埼玉」、「三重」である。したがって、この後の処理では地域識別が行われていない県で県域放送を行う放送局に割り当てられるチャンネルを受信できるか否かの判別が行われる。
【００９２】
ここで「群馬」で県域放送を行うＪ局に割り当てられるチャンネルは１９チャンネルであり、「中京」で広域放送を行うＯ局にも割り当てられる。「三重」で県域放送を行うＳ局に割り当てられるチャンネルは２７チャンネルであり、「関東」で広域放送を行うＨ局にも割り当てられる。この場合は、地域識別の値が小さい「群馬」を優先的に判別する。
【００９３】
ステップＳ１０５では、１９チャンネルを受信できるか否かの判別が行われる。１９チャンネルは「群馬」で県域放送を行うＪ局と、「中京」で広域放送を行うＯ局に割り当てられる。したがって、地域識別を使用していずれの地域または県であるかを判別する。
【００９４】
ステップＳ１０５において１９チャンネルを受信できるときは、処理がステップＳ１０６に進む。ステップＳ１０６では地域識別が３であるか否かが判別される。地域識別が３であれば処理がステップＳ１０７に進み、受信地域が「中京」と判別される。地域識別が３でないときは、処理がステップＳ１０８に進む。
【００９５】
ステップＳ１０８では地域識別が２５であるか否かが判別される。地域識別が２５であれば処理がステップＳ１０９に進み、受信地域が「群馬」と判別される。地域識別が２５でないときは処理がステップＳ１１０に進み、エラー処理が行われる。
【００９６】
ステップＳ１０５において、１９チャンネルを受信できない場合は処理がステップＳ１１１に進む。ステップＳ１１１降の処理を図９に示すフローチャートを用いて説明する。なお、ステップＳ１１１の「Ｃ」は図８と図９の対応関係を示すためのものであり、特定の処理を示すものではない。
【００９７】
ステップＳ１１２では２７チャンネルを受信できるか否かの判別が行われる。２７チャンネルを受信できるときは、処理がステップＳ１１３に進む。２７チャンネルは「関東（但し「茨城」は除く）で広域放送を行うＨ局と「三重」で県域放送を行うＳ局に割り当てられる。したがって、地域識別を使用して何れの地方または県が受信地域であるかを判別する。
【００９８】
ステップＳ１１３では地域識別が１であるか否かが判別される。地域識別が１であれば処理がステップＳ１１４に進み、受信地域が「関東」と判別される。地域識別が１でなければ処理がステップＳ１１５に進む。
【００９９】
ステップＳ１１５では地域識別が３８であるか否かが判別される。地域識別が３８であれば処理がステップＳ１１６に進み、受信地域が「三重」と判別される。地域識別が３８なければ処理がステップＳ１１７に進み、エラー処理が行われる。
【０１００】
ステップＳ１１２において２７チャンネルを受信できない場合は、処理がステップＳ１１８に進む。ここまでで判別されていない地域は「埼玉」である。したがって「埼玉」で県域放送を行う放送局に割り当てられるチャンネルを受信できるか否かが判別される。
【０１０１】
ステップＳ１１８では３２チャンネルが受信できるか否かが判別される。３２チャンネルを受信できる場合は処理がステップＳ１１９に進む。ステップＳ１１９では地域識別が２９であるか否かが判別される。地域識別が２９であれば処理がステップＳ１２０に進み、受信地域が「埼玉」と判別される。地域識別が２９でないときは処理がステップＳ１２１に進みエラー処理が行われる。なお、ステップＳ１１８において３２チャンネルを受信できないときは、処理がステップＳ１２２進む。ステップＳ１２２以降は、例えば再度、同様の処理が行われる。
【０１０２】
このようにして判別された受信地域で受信可能な放送局を特定し、所定のチャンネルに登録する処理が行われる。
【０１０３】
なお、図６から図９を用いて説明した判別処理の他の例のフローチャートにおいて、例えばステップＳ７４のように、受信地域が「関東」のように広域で判別された場合は、さらに図５を用いて説明したフローチャートのように県まで判別する処理が行われるようにしても良い。
【０１０４】
以上、この発明の一実施形態について具体的に説明したが、この発明は、上述の一実施形態に限定されるものではなく、この発明の技術的思想に基づく各種の変形が可能である。例えば、県境では複数の県で放送される放送波を受信することがある。そこで上述した判別処理で放送される県を特定して放送局を登録した後に、さらに隣接県で放送される放送局に割り当てられるチャンネルを受信できるか否かを判別して、受信できる場合はその放送局を登録するようにしても良い。
【０１０５】
また、放送局情報記憶部１９に記憶される情報に放送局だけでなく中継局に関する情報を記憶させ、地域を判別する処理の際に中継局を含めて検索できるようにしても良い。例えば、上述した処理によって登録された放送局による放送の受信状態を再度チェックし、受信状態が悪い場合はその中継局をチェックして登録を置き換えるようにようにすることもできる。
【０１０６】
また、どのチャンネルを受信できるか否かを判別するときに重み付けをして処理を行うようにしても良い。例えば、視聴可能世帯の多い局や、新幹線（登録商標）や幹線道路をカバーする放送局のような視聴される可能性が高い放送局を優先して検索するようにしても良い。
【図面の簡単な説明】
【０１０７】
【図１】この発明の一実施形態における受信装置の構成の一例を示すブロック図である。
【図２】放送局情報記憶部に記憶される情報の一例を示す略線図である。
【図３】ネットワークＩＤを算出する式を示す図である。
【図４】この発明の一実施形態における判別処理の流れを示すフローチャートである。
【図５】この発明の一実施形態における県を判別する処理の流れを示すフローチャートである。
【図６】この発明の一実施形態における他の例の判別処理の流れを示すフローチャートである。
【図７】図６に示すフローチャートに続く処理の流れを示すフローチャートである。
【図８】図７に示すフローチャートに続く処理の流れを示すフローチャートである。
【図９】図８に示すフローチャートに続く処理の流れを示すフローチャートである。
【符号の説明】
【０１０８】
１        ディジタル放送受信装置
１１      アンテナ
１２      チューナ
１４      デマルチプレクサ
１９      放送局情報記憶部
２２      制御部
【図１】
2006352690.tif 000003
【図２】
2006352690.tif 000004
【図３】
2006352690.tif 000005
【図４】
2006352690.tif 000006
【図５】
2006352690.tif 000007
【図６】
2006352690.tif 000008
【図７】
2006352690.tif 000009
【図８】
2006352690.tif 000010
【図９】
2006352690.tif 000011